(57)【要約】【課題】簡素な構造で、玉を押し込む際における冠型保持器の外径側への倒れ角度を小さくして、玉を押し込む力を小さくすることができ、内輪、玉、及び冠型保持器に傷が生じるのを防止することができる自動調心玉軸受を提供する。【解決手段】内周面に外輪軌道面１１ａを有する外輪１１と、外周面に二列の内輪軌道面１２ａを有する内輪１２と、外輪軌道面１１ａと内輪軌道面１２ａ，１２ａとの間に二列の状態で転動可能に配置される複数の玉１３と、複数の玉１３を各列で円周方向に略等間隔に保持する冠型保持器１４と、を備え、内輪１２は、二列の内輪軌道面１２ａ，１２ａの間に設けられる内輪内方肩部１２ｂと、二列の内輪軌道面１２ａ，１２ａの軸方向外方に隣接してそれぞれ設けられる内輪外方肩部１２ｃと、を有し、内輪軌道面１２ａと内輪外方肩部１２ｃの外周面１２ｄとの間の境界部１２ｅに面取りが施される。【選択図】図３
2013142411.tif 000002
【特許請求の範囲】
【請求項１】
内周面に外輪軌道面を有する外輪と、
外周面に二列の内輪軌道面を有する内輪と、
前記外輪軌道面と前記内輪軌道面との間に二列の状態で転動可能に配置される複数の玉と、
前記複数の玉を各列で円周方向に略等間隔に保持する冠型保持器と、を備える自動調心玉軸受であって、
前記内輪は、前記二列の内輪軌道面の間に設けられる内輪内方肩部と、前記二列の内輪軌道面の軸方向外方に隣接してそれぞれ設けられる内輪外方肩部と、を有し、
前記内輪軌道面と前記内輪外方肩部の外周面との間の境界部に面取りが施されることを特徴とする自動調心玉軸受。
【請求項２】
前記面取りが、ラウンド形状又はテーパ面形状であることを特徴とする請求項１に記載の自動調心玉軸受。
【発明の詳細な説明】
【技術分野】
【０００１】
本発明は、冠型保持器を備える自動調心玉軸受に関する。
【背景技術】
【０００２】
自動調心玉軸受は、一般的に、内周面に外輪軌道面を有する外輪と、外周面に二列の内輪軌道面を有する内輪と、外輪軌道面と内輪軌道面との間に二列の状態で転動可能に配置される複数の玉と、複数の玉を各列で円周方向に略等間隔にそれぞれ保持する一対の冠型保持器と、を備える。内輪は、二列の内輪軌道面の間に設けられる内輪内方肩部と、二列の内輪軌道面の軸方向外方に隣接してそれぞれ設けられる内輪外方肩部と、を有する。
【０００３】
冠型保持器は、例えば、金属板をプレス加工や曲げ加工することより成形され、複数の玉を円周方向にそれぞれ収納するポケット部を有し、ポケット部の軸方向一端側に、玉をポケット部に挿入するための開口部が形成されている。
【０００４】
次に、図８を参照して、自動調心玉軸受の組立方法、具体的には、玉の組み込み方法について説明する。なお、図８では、二列の内輪軌道面のうちの一方に玉を組み込む場合を図示しているが、他方の内輪軌道面についても同様である。
【０００５】
自動調心玉軸受における玉６３の組み込み方法としては、冠型保持器６４を内輪６２に組み付けた状態において、内輪軌道面６２ａに玉６３が配置されるように、玉６３を冠型保持器６４のポケット部６４ａに斜め上方から押し込むようにして行われる。
【０００６】
そして、押し込まれた玉６３は、冠型保持器６４を外径側に倒しながら内輪外方肩部６２ｃと冠型保持器６４との間を通過するが、その中でも、内輪軌道面６２ａと内輪外方肩部６２ｃの外周面６２ｄとの間の境界部６２ｅを玉６３が通過するとき、冠型保持器６４の倒れ角度Ａが最大になり、最も大きな押し込み力が必要となる。その結果、玉６３が境界部６２ｅを通過する際に、内輪６２、玉６３、及び冠型保持器６４に傷が生じる可能性がある。また、従来では、境界部６２ｅがエッジ形状に形成されているため、玉６３に傷が生じ易かった。
【０００７】
玉の挿入性を考慮した従来技術としては、冠型保持器において、一部の一対の爪部の軸方向突出量を他の一対の爪部よりも低くして、開口部の周方向幅を広げ、玉の挿入をし易くするものが知られる（例えば、特許文献１参照）。また、内輪に内周面から内輪軌道面まで貫通する転動体挿入孔を１箇所設け、玉の組み付けをこの転動体挿入孔から順次行い、組み付け後、その転動体挿入孔に止め栓を嵌合して封をするものが知られる（例えば、特許文献２参照）。また、外輪に外輪軌道面につながる切欠き部を内周面に設けると共に、内輪に内輪軌道面につながる切欠き部を外周面に設けて、両切欠き部の位相を合わせることにより、玉を挿入する転動体挿入孔を形成するものが知られる（例えば、特許文献３参照）。
【先行技術文献】
【特許文献】
【０００８】
【特許文献１】特開２０１１―１８５３８５号公報
【特許文献２】特開２００９―１７４６８８号公報
【特許文献３】特開２００８―２４０８３１号公報
【発明の概要】
【発明が解決しようとする課題】
【０００９】
このように、玉を押し込む力を小さくするため、上記特許文献１に記載の軸受のように一対の爪部の開口部の周方向幅（入口幅）を大きくする他、冠型保持器の板厚を薄くしたり、内輪外方肩部の外径を小さくしたりすることなどが行われている。
【００１０】
しかしながら、一対の爪部の開口部の周方向幅を大きくする場合、軸受回転時の冠型保持器の軸方向の動き量が大きくなり、保持器で生じる騒音が大きくなる可能性があった。また、冠型保持器の板厚を薄くする場合、冠型保持器の剛性が低下して、冠型保持器が破損する可能性があった。また、内輪外方肩部の外径を小さくする場合、軸受回転時に玉が内輪軌道面を乗り越える可能性があった。
【００１１】
また、上記特許文献２及び特許文献３に記載の軸受では、玉を挿入するための経路を内輪又は外輪に別途設けるため、軸受の構造が複雑となって製造コストが増加する可能性があった。
【００１２】
本発明は、前述の事情に鑑みてなされたものであり、その目的は、簡素な構造で、玉を押し込む際における冠型保持器の外径側への倒れ角度を小さくして、玉を押し込む力を小さくすることができ、内輪、玉、及び冠型保持器に傷が生じるのを防止することができる自動調心玉軸受を提供することにある。
【課題を解決するための手段】
【００１３】
本発明の上記目的は、下記の構成により達成される。
（１）内周面に外輪軌道面を有する外輪と、外周面に二列の内輪軌道面を有する内輪と、外輪軌道面と内輪軌道面との間に二列の状態で転動可能に配置される複数の玉と、複数の玉を各列で円周方向に略等間隔に保持する冠型保持器と、を備える自動調心玉軸受であって、内輪は、二列の内輪軌道面の間に設けられる内輪内方肩部と、二列の内輪軌道面の軸方向外方に隣接してそれぞれ設けられる内輪外方肩部と、を有し、内輪軌道面と内輪外方肩部の外周面との間の境界部に面取りが施されることを特徴とする自動調心玉軸受。
（２）面取りが、ラウンド形状又はテーパ面形状であることを特徴とする（１）に記載の自動調心玉軸受。
【発明の効果】
【００１４】
本発明によれば、内輪軌道面と内輪外方肩部の外周面との間の境界部に面取りが施されるため、玉を押し込む際における冠型保持器の外径側への倒れ角度を従来よりも小さくすることができる。このため、玉を押し込む力を小さくすることができるので、内輪、玉、及び冠型保持器に傷が生じるのを防止することができる。また、面取りが施された境界部に玉が接触するので、玉に傷が生じるのを更に防止することができる。また、境界部に面取りを施すだけであるので、簡素な構造で製造コストの増加を抑制することができる。
【図面の簡単な説明】
【００１５】
【図１】本発明に係る自動調心玉軸受の第１実施形態を説明する断面図である。
【図２】図１に示す内輪を説明する要部拡大断面図である。
【図３】第１実施形態の玉の取り付けを説明する要部拡大断面図である。
【図４】本発明に係る自動調心玉軸受の第２実施形態の内輪を説明する要部拡大断面図である。
【図５】本発明に係る自動調心玉軸受の第３実施形態の内輪を説明する要部拡大断面図である。
【図６】本発明に係る自動調心玉軸受の第４実施形態の内輪を説明する要部拡大断面図である。
【図７】本発明に係る自動調心玉軸受の第５実施形態の内輪を説明する要部拡大断面図である。
【図８】従来の自動調心玉軸受における玉の取り付けを説明する要部拡大断面図である。
【発明を実施するための形態】
【００１６】
以下、本発明に係る自動調心玉軸受の各実施形態について、図面に基づいて詳細に説明する。
【００１７】
（第１実施形態）
まず、図１〜図３を参照して、本発明に係る自動調心玉軸受の第１実施形態について説明する。
【００１８】
本実施形態の自動調心玉軸受１０は、図１に示すように、内周面に外輪軌道面１１ａを有する外輪１１と、外周面に二列の内輪軌道面１２ａ,１２ａを有する内輪１２と、外輪軌道面１１ａと内輪軌道面１２ａ,１２ａとの間に二列の状態で転動可能に配置される複数の玉１３と、複数の玉１３を各列で円周方向に略等間隔にそれぞれ保持する一対の冠型保持器１４，１４と、を備える。
【００１９】
外輪軌道面１１ａは、球面形状の凹面であり、その球面形状の曲率中心点が軸受中心軸に一致するように形成される。このため、自動調心玉軸受１０では、内輪１２、玉１３、及び冠型保持器１４がその曲率中心点を中心に所定の範囲で自由に回転可能である。
【００２０】
内輪１２は、二列の内輪軌道面１２ａ，１２ａの間に設けられる内輪内方肩部１２ｂと、二列の内輪軌道面１２ａ，１２ａの軸方向外方に隣接してそれぞれ設けられる内輪外方肩部１２ｃ，１２ｃと、を有する。
【００２１】
そして、本実施形態では、図２に示すように、内輪軌道面１２ａと内輪外方肩部１２ｃの外周面１２ｄとの間の境界部１２ｅに、所定の曲率を有するラウンド形状の面取りが施されている。なお、図２では、一方の境界部１２ｅしか図示していないが、他方の境界部１２ｅにもラウンド形状の面取りが同様に施されている。
【００２２】
冠型保持器１４は、例えば、金属板をプレス加工や曲げ加工することにより成形され、複数の玉１３を円周方向にそれぞれ収納するポケット部１４ａを有し、ポケット部１４ａの軸方向一端側に、玉１３をポケット部１４ａに挿入するための開口部１４ｂが形成されている。そして、一対の冠型保持器１４，１４は、開口部１４ｂが軸受１０の軸方向外方に向くようにそれぞれ組み付けられる。
【００２３】
このように構成された自動調心玉軸受１０では、境界部１２ｅにラウンド形状の面取りが施されているので、玉１３を押し込む際における冠型保持器１４の外径側への倒れ角度Ａが、従来（図８参照）よりも小さくなり、玉１３を押し込む時に必要な力を小さくすることができる。
【００２４】
以上説明したように、本実施形態の自動調心玉軸受１０によれば、内輪軌道面１２ａと内輪外方肩部１２ｃの外周面１２ｄとの間の境界部１２ｅにラウンド形状の面取りが施されるため、玉１３を押し込む際における冠型保持器１４の外径側への倒れ角度Ａを従来よりも小さくすることができる。このため、玉１３を押し込む力を小さくすることができるので、内輪１２、玉１３、及び冠型保持器１４に傷が生じるのを防止することができる。また、面取りが施された境界部１２ｅに玉１３が接触するので、玉１３に傷が生じるのを更に防止することができる。また、境界部１２ｅに面取りを施すだけであるので、簡素な構造で製造コストの増加を抑制することができる。
【００２５】
（第２実施形態）
次に、図４を参照して、本発明に係る自動調心玉軸受の第２実施形態について説明する。なお、上記第１実施形態と同一又は同等部分については、図面に同一或いは同等の符号を付してその説明を省略或いは簡略化する。
【００２６】
本実施形態では、図４に示すように、内輪軌道面１２ａと内輪外方肩部１２ｃの外周面１２ｄとの間の境界部１２ｅに、所定の傾斜角Ｘを有するテーパ面形状の面取りが施されている。
【００２７】
以上説明したように、本実施形態の自動調心玉軸受１０によれば、内輪軌道面１２ａと内輪外方肩部１２ｃの外周面１２ｄとの間の境界部１２ｅにテーパ面形状の面取りが施されるため、玉１３を押し込む際における冠型保持器１４の外径側への倒れ角度Ａを従来よりも小さくすることができる。このため、玉１３を押し込む力を小さくすることができるので、内輪１２、玉１３、及び冠型保持器１４に傷が生じるのを防止することができる。また、面取りが施された境界部１２ｅに玉１３が接触するので、玉１３に傷が生じるのを更に防止することができる。また、境界部１２ｅに面取りを施すだけであるので、簡素な構造で製造コストの増加を抑制することができる。
その他の構成及び作用効果については、上記第１実施形態と同様である。
【００２８】
（第３実施形態）
次に、図５を参照して、本発明に係る自動調心玉軸受の第３実施形態について説明する。なお、上記第１実施形態と同一又は同等部分については、図面に同一或いは同等の符号を付してその説明を省略或いは簡略化する。
【００２９】
本実施形態では、図５に示すように、内輪外方肩部１２ｃの外周面１２ｄにスロット溝２１が軸方向に沿って形成されると共に、このスロット溝２１と内輪軌道面１２ａとの間の境界部２２ｅに、所定の曲率を有するラウンド形状の面取りが施されている。この場合、玉１３はスロット溝２１に沿って押し込まれる。
その他の構成及び作用効果については、上記第１実施形態と同様である。
【００３０】
（第４実施形態）
次に、図６を参照して、本発明に係る自動調心玉軸受の第４実施形態について説明する。なお、上記第１実施形態と同一又は同等部分については、図面に同一或いは同等の符号を付してその説明を省略或いは簡略化する。
【００３１】
本実施形態では、図６に示すように、内輪軌道面１２ａと内輪外方肩部１２ｃの外周面１２ｄとの間の境界部１２ｅに、所定の曲率を有するラウンド形状の面取りが施されると共に、内輪軌道面１２ａ、内輪内方肩部１２ｂの外周面１２ｆ、内輪外方肩部１２ｃの外周面１２ｄ、及び境界部１２ｅのラウンド形状の面取りに研削加工が施されている。
その他の構成及び作用効果については、上記第１実施形態と同様である。
【００３２】
（第５実施形態）
次に、図７を参照して、本発明に係る自動調心玉軸受の第５実施形態について説明する。なお、上記第１実施形態と同一又は同等部分については、図面に同一或いは同等の符号を付してその説明を省略或いは簡略化する。
【００３３】
本実施形態では、図７に示すように、上記第２実施形態と同じく、内輪軌道面１２ａと内輪外方肩部１２ｃの外周面１２ｄとの間の境界部１２ｅに、所定の傾斜角Ｘを有するテーパ面形状の面取りが施されている。そして、このテーパ面形状の傾斜角Ｘは、内輪軌道面１２ａと内輪外方肩部１２ｃの外周面１２ｄとの間の境界点Ｐと冠型保持器１４の入口部１４ｃとを結ぶ仮想直線Ｌ１と、軸受１０の中心軸線と直交し上記入口部１４ｃを通過する仮想直線Ｌ２と、が成す角度Ｚ以下に設定されている。
その他の構成及び作用効果については、上記第１実施形態と同様である。
【００３４】
なお、本発明は、上記各実施形態に例示したものに限定されるものではなく、本発明の要旨を逸脱しない範囲において適宜変更可能である。
【符号の説明】
【００３５】
１０    自動調心玉軸受
１１    外輪
１１ａ  外輪軌道面
１２    内輪
１２ａ  内輪軌道面
１２ｂ  内輪内方肩部
１２ｃ  内輪外方肩部
１２ｄ  内輪外方肩部の外周面
１２ｅ  境界部
１３    玉
１４    冠型保持器
【図１】
2013142411.tif 000003
【図２】
2013142411.tif 000004
【図３】
2013142411.tif 000005
【図４】
2013142411.tif 000006
【図５】
2013142411.tif 000007
【図６】
2013142411.tif 000008
【図７】
2013142411.tif 000009
【図８】
2013142411.tif 000010